(57)【要約】【課題】  記憶された入力回数を信頼性の高いものにする。【解決手段】  音声入力があった場合（４２Ｙ）、予め記憶された基準音声を取り込み（４４）、入力された音声と基準音声とが対応するか否かを判断する。入力された音声と基準音声とが対応すると判断された場合（４６Ｙ）、記憶装置２２に記憶された入力回数を１カウントアップ（更新）する（４８）。カウントアップされた入力回数（カウント値）と、音声が今回入力された入力日時を記憶装置２２に記憶する（５０）。一方、入力された音声と基準音声とが一致しないと判断された場合（４６Ｎ）、一致しない旨を表示する（５２）。【選択図】        図３
2006139064.tif 000002
【特許請求の範囲】
【請求項１】
音声を入力する入力手段と、
基準音声及び該基準音声に対応する音声の入力回数を記憶する記憶手段と、
前記入力手段により入力された音声と前記記憶手段に記憶された基準音声とが対応するか否かを判断する判断手段と、
前記判断手段により前記入力された音声と前記基準音声とが対応すると判断された場合には、前記記憶手段に記憶された入力回数が更新されるように前記記憶手段を制御する制御手段と、
を備えた音声入力回数更新装置。
【請求項２】
前記基準音声は、前記入力手段により予め入力された音声であることを特徴とする請求項１に記載の音声入力回数更新装置。
【請求項３】
前記入力手段は、音声の入力者を識別する識別情報を入力し、
前記記憶手段は、音声の入力者を識別する識別情報と対応して前記入力回数を記憶する
ことを特徴とする請求項２に記載の音声入力回数更新装置。
【請求項４】
前記制御手段は、前記音声が入力された日時を表す日時情報が記憶されるように前記記憶手段を制御することを特徴とする請求項１乃至請求項３の何れか１項に記載の音声入力回数更新装置。
【請求項５】
前記記憶手段に記憶された入力回数と前記日時情報とに基づいて、前記音声の入力履歴を報知する報知手段を更に備えたことを特徴とする請求項４記載の音声入力回数更新装置。
【請求項６】
前記音声の入力履歴は、合計回数、入力回数の平均、入力回数の履歴の少なくとも１つであることを特徴とする請求項５記載の音声入力回数更新装置。
【請求項７】
前記記憶手段には目標入力回数が記憶され、
前記記憶手段に記憶された入力回数と前記目標入力回数とに基づいて、前記目標入力回数までの達成度合いを報知する報知手段を更に備えた
ことを特徴とする請求項１乃至請求項６の何れか１項に記載の音声入力回数更新装置。
【請求項８】
前記報知手段は、前記目標入力回数が達成された場合、所定の図形が完成するように、前記達成度合いを図形で表すことを特徴とする請求項７記載の音声入力回数更新装置。
【請求項９】
前記記憶手段には目標入力回数が記憶され、
前記記憶手段に記憶された入力回数と前記目標入力回数とに基づいて、前記目標入力回数を達成するために必要な入力回数を報知する報知手段を更に備えた
ことを特徴とする請求項１乃至請求項８の何れか１項に記載の音声入力回数更新装置。
【請求項１０】
前記目標入力回数を達成するために必要な入力回数は、前記目標入力回数を、定められた達成予定日時に達成するために必要な平均入力回数を報知する報知手段を更に備えた
ことを特徴とする請求項９に記載の音声入力回数更新装置。
【請求項１１】
前記目標入力回数は、最終目標入力回数、又は、該最終目標入力回数までの中間目標入力回数であることを特徴とする請求項７乃至請求項１０の何れか１項に記載の音声入力回数更新装置。
【請求項１２】
前記報知手段は、視覚的に報知することを特徴とする請求項７乃至請求項１１の何れか１項に記載の音声入力回数更新装置。
【請求項１３】
前記報知手段は、表示、印刷出力、及び光の少なくとも１つにより報知することを特徴とする請求項７乃至請求項１２の何れか１項に記載の音声入力回数更新装置。
【請求項１４】
前記報知手段は、聴覚的に報知することを特徴とする請求項７乃至請求項１２の何れか１項に記載の音声入力回数更新装置。
【請求項１５】
前記制御手段は、前記記憶手段に記憶された入力回数が変更されるように前記記憶手段を制御することを特徴とする請求項１乃至請求項１４の何れか１項に記載の音声入力回数更新装置。
【発明の詳細な説明】
【技術分野】
【０００１】
本発明は、音声入力回数更新装置に係り、より詳細には、入力された音声の入力回数を更新する音声入力回数更新装置に関する。
【背景技術】
【０００２】
日蓮宗では、南無妙法蓮華経の題目を百万回唱えると一定の願いが叶うとされている。そこで、信者は、日々題目を唱える。しかし、題目を唱えた回数を覚えておくことは難しく、自分が何回唱えたのか忘れてしまう場合がある。また、唱えた回数をメモしても、メモを紛失する場合もある。そこで、従来、次のような装置が提案されている（非特許文献１）。即ち、この装置では、最初に、題目を一回唱える時間を設定する。信者が、スタートボタンを押すと、設定された時間が経過する毎に、所定の表示を切り替えると共に、信者は、この所定の表示の切り替えを合図に、題目を一回唱える。信者が、何回か題目を唱え、ストップボタンを押すと、スタートボタンが押されてからストップボタンが押されるまでの時間と、題目を一回唱える時間に基づいて、唱えられた題目の回数を計算し、記憶する装置が提案されている。
【０００３】
しかし、上記装置では、スタートボタンが押されてからストップボタンが押されるまでの時間と、題目を一回唱える時間とに基づいて、唱えられた回数を計算しているので、信者が正確に題目を唱えていない場合でも、題目を唱えたとされてカウントしてしまう。よって、記憶されたカウント値は信頼性の低いものである。
【非特許文献１】「モアチャン」（株式会社  中省鋲螺製作所製）。
【発明の開示】
【発明が解決しようとする課題】
【０００４】
本発明は、上記事実に鑑み成されたもので、記憶された入力回数を信頼性の高いものにすることの可能な音声入力回数更新装置を提供することを目的とする。
【課題を解決するための手段】
【０００５】
上記目的を達成するため請求項１記載の発明は、音声を入力する入力手段と、基準音声及び該基準音声に対応する音声の入力回数を記憶する記憶手段と、前記入力手段により入力された音声と前記記憶手段に記憶された基準音声とが対応するか否かを判断する判断手段と、前記判断手段により前記入力された音声と前記基準音声とが対応すると判断された場合には、前記記憶手段に記憶された入力回数が更新されるように前記記憶手段を制御する制御手段と、を備えている。  
即ち、入力手段は、音声を入力する。なお、例えば、入力手段は、マイクロフォンなどである。記憶手段は、基準音声及び該基準音声に対応する音声の入力回数を記憶する。なお、基準音声は、請求項２のように、入力手段により予め入力された音声としてもよい。この場合、請求校３のように、前記入力手段は、音声の入力者を識別する識別情報を入力し、前記記憶手段は、音声の入力者を識別する識別情報と対応して前記入力回数を記憶するようにしてもよい。これにより、本音声入力回数更新装置を共有してもそれぞれの入力回数を個別に管理することができる。
【０００６】
判断手段は、前記入力手段により入力された音声と前記記憶手段に記憶された基準音声とが対応するか否かを判断する。なお、前記入力手段により入力された音声と前記記憶手段に記憶された基準音声とが対応するとは、前記入力された音声と前記記憶された基準音声との類似度が所定値以上である場合である。例えば、前記入力された音声と前記記憶された基準音声とが完全に一致する場合の類似度を１００とすると、所定値としては、例えば、８０等である。  
制御手段は、前記判断手段により前記入力された音声と前記基準音声とが対応すると判断された場合には、前記記憶手段に記憶された入力回数が更新されるように前記記憶手段を制御する。
【０００７】
このように、音声が入力された場合、入力された音声と基準音声とが対応するか否かを判断し、対応すると判断された場合、記憶された入力回数を更新するので、記憶された入力回数は基準音声に対応する音声の入力回数であるので、記憶された入力回数を信頼することができる。
【０００８】
ここで、本発明の制御手段は、請求項４のように、前記音声が入力された日時を表す日時情報が記憶されるように前記記憶手段を制御するようにしてもよい。  
この場合、請求項５のように、前記記憶手段に記憶された入力回数と前記日時情報とに基づいて、前記音声の入力履歴を報知する報知手段を更に備えるようにしてもよい。  
ここで、入力履歴の報知としては、請求項６のように、合計回数、入力回数の平均、入力回数の履歴等を用いてもよい。  
また、合計回数としては、例えば、１日、最近数日、１週間、最近数週間、１ヶ月、最近数ヶ月、１年、数年などの所定期間の入力回数の合計を用いてもよい。
【０００９】
入力回数の平均としては、例えば、１日、最近数日、１週間、最近数週間、１ヶ月、最近数ヶ月、１年、数年などの所定期間の入力回数の平均を用いてもよい。  
入力回数の履歴としては、所定期間毎の入力回数の履歴を用いてもよい。  
このように、音声の入力履歴を報知するので、音声の入力者は過去の入力状況を把握することができる。
【００１０】
また、請求項７のように、前記記憶手段には目標入力回数が記憶され、前記記憶手段に記憶された入力回数と前記目標入力回数とに基づいて、前記目標入力回数までの達成度合いを報知する報知手段を更に備えるようにしてもよい。  
このように、目標入力回数までの達成度合いを報知するので、音声の入力者は、現在の状況を把握することができる。
【００１１】
達成度合いの報知には、達成度合いの表示、印刷出力、音声出力や、達成した場合の発光等が含まれる。  
ここで、達成度合いの報知として、達成度合いの表示、印刷出力をする場合、請求項８のように、報知手段は、前記目標入力回数が達成された場合、所定の図形が完成するように、前記達成度合いを図形で表すようにしてもよい。
【００１２】
また、請求項９のように、前記記憶手段には目標入力回数が記憶され、前記記憶手段に記憶された入力回数と前記目標入力回数とに基づいて、前記目標入力回数を達成するために必要な入力回数を報知する報知手段を更に備えるようにしてもよい。  
なお、前記目標入力回数を達成するために必要な入力回数を、入力回数自体として報知してもよいが、請求項１０のように、達成したい日時（達成予定日時）を指定した場合、前記目標入力回数を達成するために必要な入力回数を、例えば、１日の平均入力回数で報知するようにしてもよい。  
目標入力回数を達成するために必要な入力回数の報知には、該入力回数の表示、印刷出力、音声出力が含まれる。  
ところで、目標入力回数は、請求項１１のように、最終目標入力回数、又は、該最終目標入力回数までの中間目標入力回数としてもよい。  
なお、上記各報知手段は、別々に構成してもよく、同一の手段でもよい。
【００１３】
請求項１２のように、前記報知手段は、視覚的に報知するようにしてもよい。具体的には、請求項１３のように、前記報知手段は、表示、印刷出力、及び光の少なくとも１つにより報知する。  
また、請求項１４のように、前記報知手段は、聴覚的に報知するようにしてもよい。  
なお、請求項１５のように、前記制御手段は、前記記憶手段に記憶された入力回数が変更されるように前記記憶手段を制御するようにしてもよい。なお、変更としては、例えば、修正、リセット、消去などである。
【発明の効果】
【００１４】
以上説明したように本発明は、音声が入力された場合、入力された音声と基準音声とが対応するか否かを判断し、対応すると判断された場合、記憶された入力回数を更新するので、記憶された入力回数は基準音声に対応する音声の入力回数であるので、記憶された入力回数を信頼することができる、という効果を有する。
【発明を実施するための最良の形態】
【００１５】
以下、図面を参照して、本発明の実施の形態を詳細に説明する。
【００１６】
図１に示すように、本実施の形態に係る音声入力回数更新装置は、信者によって唱えられた題目を入力する入力手段としてのマイクロフォン（以下、マイクという）１０と、マイク１０により入力された音声（アナログ信号）をデジタル信号に変換するＡ/Ｄ変換器１２を備えている。Ａ/Ｄ変換器１２は、制御部１４に接続されている。制御部１４は、ＣＰＵ、ＲＯＭ、ＲＡＭ、入出力ポート等を備えて構成されている。なお、ＲＯＭには、初期設定プログラム（図２）、回数計数処理プログラム（図３）、及びこれらの処理に必要な音声認識プログラムが記憶されている。ＣＰＵには、カレンダー機能、時計機能が内蔵されており、使用日時や、使用時間を自動的に計測する機能を有する。
【００１７】
制御部１４には、入力されたデジタル信号を音声（アナログ信号）に変換するＤ/Ａ変換器１８を介して、スピーカ１６が接続されている。また、制御部１４には、キーボード２０、記憶装置２２、印刷装置２４、及び表示装置２６が接続されている。記憶装置２２は、複数のファイルを有し、基準音声を記録する基準音声ファイル、被判定音声を記録する音声ファイル、日時と関連付けられて唱えた回数を記録する計数ファイル、表示装置２６に表示する表示パターンが記憶されているパターンファイルなどが設けられている。
【００１８】
次に、本実施の形態の作用を説明する。図２には、初期設定プログラムが示されている。本プログラムは、キーボード２０の所定の初期設定ボタンがＯＮされるとスタートし、ステップ３２で、マイク１０、Ａ/Ｄ変換器１２を介して音声入力があったか否かを判断する。音声入力があった場合、ステップ３４で、入力された音声を音声認識プログラムを用いて認識し、基準音声として記憶装置２２に記憶する。そして、ステップ３６で、ＣＰＵの備えるカレンダー機能と時計機能に基づき開始日時を設定する。入力された基準音声は、記憶装置２２の基準音声ファイルに格納される。  
なお、信者が自分で音声を入力する場合に限らず、教祖自身等の他人の音声を基準音声として記憶するようにしてもよい。
【００１９】
次に、信者が唱えた題目の入力回数を計数する回数計数処理プログラムを説明する。キーボード２０における所定のスタートストップボタンがＯＮされると本プログラムがスタートし、ステップ４２で、マイク１０、Ａ/Ｄ変換器１２を介して音声入力があったか否かを判断する。  
音声入力があった場合には、音声を音声ファイルに格納し、ステップ４４で、上記のように記憶された基準音声を記憶装置２２の基準音声ファイルから取り込む。次のステップ４６では、音声ファイルの音声と基準音声ファイルの音声とを音声認識プログラムで認識し、入力された音声と、基準音声とが対応するか否かを判断する。入力された音声と基準音声とが対応するとは、入力された音声と基準音声との類似度が所定値以上である場合である。例えば、入力された音声と基準音声とが完全に一致する場合の類似度を１００とすると、所定値としては、例えば、８０等である。よって、本ステップ４６では、入力された音声と基準音声とのマッチングをとり、類似度を求め、求めた類似度が所定値（８０等）以上の場合に、入力された音声と基準音声とが対応すると判断する。
【００２０】
入力された音声と基準音声とが対応すると判断された場合には、ステップ４８で、記憶装置２２に記憶された入力回数を１カウントアップ（更新）する。そして、ステップ５０で、カウントアップされた入力回数（カウント値）と、音声が今回入力された入力日時を記憶装置２２の計数ファイルに記憶する。  
一方、入力された音声と基準音声とが一致しないと判断された場合には、ステップ５２で、一致しない旨を表示装置２６に表示する。なお、表示装置２６に表示すると共に、または表示に代えて一致しない旨をスピーカ１６から音声出力するようにしてもよい。
【００２１】
このように、音声が入力された場合、入力された音声と基準音声とが対応するか否かを判断し、対応すると判断された場合、入力回数を更新するので、記憶された入力回数は基準音声に対応する音声の入力回数であるので、記憶された入力回数を信頼することができる。  
このように記憶装置２２には、開始日時からの基準音声に対応する音声の入力回数と、基準音声に対応する音声入力の入力日時とが記憶されているので、本実施の形態では、これらのデータを次のように利用している。
【００２２】
まず、本実施の形態では、音声の入力履歴を報知する。即ち、図４に示すように、所定期間（例えば、半月）毎に入力回数の合計値を折れ線グラフで表示装置２６に表示する。  
なお、この場合、折れ線グラフに代えて、棒グラフを用いてもよい。また、所定期間としては、半月に限定されず、１週間、１０日等としてもよい。  
また、上記折れ線グラフにより入力履歴の表示の際、図４に示すように、平均入力回数、総合計回数、残り回数、達成率を表示する。
【００２３】
ここで、合計回数としては、総合計回数に限らず、例えば、１日、最近数日、１週間、最近数週間、１ヶ月、最近数ヶ月、１年、数年などの所定期間の入力回数の合計を用いてもよい。  
平均入力回数としては、例えば、１日の平均入力回数や、月曜日や日曜日等の平均入力回数や、１週間の平均入力回数を表示する。更には、最近数日、最近数週間、１ヶ月、最近数ヶ月、１年、数年などの入力回数の平均を用いてもよい。
【００２４】
また、本実施の形態では、目標入力回数までの達成度合いを表示する。即ち、図５に示すように、目標入力回数が達成されたとすると、所定の図形、例えば、図５（Ａ）に示すように、世界地図が完成するように、達成度合いを図形で表すようにしてもよい。即ち、世界地図を例えば所定個数、例えば、１０００個のマスで区切り、１マスを１０００回とする。基準音声に対応する音声が１０００回入力された場合、１マスに色を付け、１００万回達成すると、世界地図全領域が所定の色で塗られるように達成度合いを表示する。なお、図５（Ａ）に示す例は、１００万回を最終目標とする例であるが、最終目標に代えて、図５（Ｂ）に示すように、万中間目標の達成度合いを表示するようにしてもよい。例えば、中間目標として１０万回を設定し、これにより、１マスは１００回となり、１００回基準音声に対応する音声が入力されるごとに、１マスずつ色を塗るようにする。
【００２５】
また、世界地図を用いる場合に限定されず、図６に示すように、円グラフで達成度合いを表示するようにしてもよい。即ち、例えば、図６（Ａ）に示すように、最終目標１００万回で全ての円に色が塗られ、例えば、現在１０万回達成されている場合には、１０万回分の領域に色を塗る。一方、図６（Ｂ）では、中間目標2０万回に対する達成度合いを表示するようにしてもよい。中間目標が２０万回で、現在の達成度合いが１０万回であれば、図6（Ｂ）に示すように、円の半分に色が塗られることになる。なお、ユーザは、世界地図で達成度合いを表示するモードや円グラフで達成度合いを表示するモードを選択することができ、且つ、それぞれについて最終目標の達成度合いを表示させるモード、或は、中間目標の達成度合いを表示させるようにモードを切り替えるようにしてもよい。
【００２６】
なお、目標入力回数を達成するために必要な入力回数（残り回数）を、これ自体を表示すると共に、達成したい日時（達成予定日時）を指定し、目標入力回数を達成するために必要な入力回数として、例えば、１日の平均入力回数を表示する。なお、日々、１日の平均入力回数を達成した場合に、達成したことを報知し、達成しなかった場合には、達成しなかったことを報知するようにしてもよい。なお、１日の平均入力回数を達成しなかった場合には、入力回数と、達成予定日時とに基づいて、１日の平均入力回数を変更して、同様に処理するようにしてもよい。
【００２７】
以上の表示（図４〜図６）は、表示装置２６に表示しているが、これに代えて又はこれと共に、印刷装置２４で印刷するようにしてもよい。更には、平均入力回数、総合計回数、残り回数、達成率、目標入力回数を達成するために必要な入力回数としての１日の平均入力回数を、スピーカ１６により音声出力してもよい。更には、ランプを備え、達成した場合に、ランプを点灯するようにしてもよい。また、複数のランプを備え、達成率に対応してランプの点灯比率を定め、定められた比率でランプを点灯するようにしてもよい。
【００２８】
なお、以上説明した実施の形態では、日蓮宗における南無妙法蓮華経の題目を入力する例を説明したが、本発明はこれに限定されるものではなく、他の宗教における唱えるべき音声を入力したり、更には、宗教には関係なく、例えば、算数の九九を入力するようにしてもよい。なお、算数の九九を入力する場合には、１〜９の全ての段を入力するのもいいが、各段毎に入力するようにしてもよい。  
また、キーボード２０、マイク１０を介して、音声の入力者を識別する識別情報（ＩＤ）を入力し、記憶装置２２では、音声の入力者を識別する識別情報（ＩＤ）と対応して入力回数を記憶する。  
更に、なお、記憶装置２２に記憶された入力回数を変更するようにしてもよい。なお、変更としては、例えば、修正、リセット、消去などである。
【００２９】
図７に基づいて、他の実施形態における処理例を説明する。ステップ４２Ａにおいて、音声入力と判断した場合、ステップ４３Ａで、音声ファイルに音声の記録を開始する。次のステップ４４Ａで、唱題が終了したか判断し、終了していない場合には、ステップ４３Ａの記録を継続する。ステップ４４Ａで、唱題が終了したと判断した場合には、唱題の音声ファイルへの記録を中止する。唱題の終了の有無は、例えば、入力装置であるキーボード２０における終了操作の検出や、所定時間（例えば、４秒）音声入力がなかった場合に、終了と判断する構成とすることができる。これにより、唱題を開始してから終了するまでの音声が全て、音声ファイルに記録される。次に、ステップ４６Ａにおいて、基準音声を基準音声ファイルから取り込む。ステップ４７Ａで、音声ファイルに記録された音声記録から、基準音声に対応する音声を抽出検索し、ステップ４８Ａで、抽出された数をカウントする。ステップ５０Ａで、音声入力が開始された日時とともに、カウント値を計数ファイルに記録する。このような構成とすることにより、唱題を行っている間は、基準音声に対応するかの判断をしないので、処理速度を速くする必要性が減り、装置への負担が軽減される。
【００３０】
ここで、ステップ４７Ａの処理において、対応しているか？の判断は、図３におけるステップ４６における処理と同様であり、この処理を記録されている音声に対して、記録開始から終了までの音声データについて、時間の経過に沿って順に、対応しているか判断し、カウントする。  
以上の処理において、ステップ４２Ａにより、音声の入力開始を判断する入力開始判断手段が、ステップ４５Ａにより、音声入力の終了を判断する入力終了判断手段が、ステップ４７Ａにより、記録された音声データから基準音声に対応する部分を抽出する抽出手段が、ステップ４８Ａにより抽出された音声データの数を記録する抽出数記録手段がそれぞれ構成される。
【図面の簡単な説明】
【００３１】
【図１】本実施の形態に係る音声入力回数更新装置のブロック図である。
【図２】初期設定プログラムを示すフローチャートである。
【図３】音声入力回数計数プログラムを示すフローチャートである。
【図４】所定期間毎の入力回数の折れ線グラフ、入力履歴、及び達成率を表示した図である。
【図５】世界地図を用いて達成度合いを表示する例を示す図である。
【図６】円グラフを用いて達成度合いを表示する例を示す図であり、（Ａ）は、最終目標に対する達成度合いを表示し、（Ｂ）は、中間目標の達成度合いを表示する例を示した図である。
【図７】他の実施形態における音声入力回数計数プログラムを示すフローチャートである。
【符号の説明】
【００３２】
１０    マイク（入力手段）
２２    記憶装置（記憶手段）
１４    制御部（制御手段）
２４    印刷装置（報知手段）
２６    表示装置（報知手段）
【図１】
2006139064.tif 000003
【図２】
2006139064.tif 000004
【図３】
2006139064.tif 000005
【図４】
2006139064.tif 000006
【図５】
2006139064.tif 000007
【図６】
2006139064.tif 000008
【図７】
2006139064.tif 000009